【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
ワイヤレス媒体の再利用を管理する方法であって、
基本サービスセット（ＢＳＳ）における１つまたは複数の局による前記ワイヤレス媒体の再利用を許可するかどうかを、アクセスポイントにおいて、決定することと、
前記ワイヤレス媒体の再利用が基準を満たす局に対して許可されることのインジケーションを、再利用を許可することの決定時に、送信することと、
１つまたは複数の再利用パラメータを決定することと、
前記１つまたは複数の再利用パラメータを送信することと、
ここにおいて、前記１つまたは複数の再利用パラメータは、送信パワー、エネルギー検出（ＥＤ）レベル、送信機受信信号強度インジケーション（ＲＳＳＩ）しきい値、対象となる受信機ＲＳＳＩしきい値、１つまたは複数のプリアンブルパラメータに基づく、およびノードにおいて耐えられる干渉の量のインジケーションに基づくＲＳＳＩしきい値関数、のうちの１つまたは複数を含み、
ここにおいて、前記１つまたは複数の再利用パラメータは、局によって異なる複数の再利用パラメータを備える、
を備える、方法。
【請求項２】
次のコンディション、
局が、第１のしきい値未満の受信信号強度インジケーション（ＲＳＳＩ）を有する送信デバイスから重複ＢＳＳ（ＯＢＳＳ）送信を検出する場合に、前記ワイヤレス媒体を再利用することを許可される；
局が、前記ＯＢＳＳ送信の宛先デバイスが第２のしきい値未満のＲＳＳＩを有する場合に、前記ワイヤレス媒体を再利用することを許可される；および
局が、前記送信デバイスおよび／または対象となる受信デバイスが１つまたは複数のプリアンブルパラメータの関数である動的しきい値未満のＲＳＳＩを有する場合に、前記ワイヤレス媒体を再利用することを許可される；
のうちの１つまたは複数を、単独でまたは組み合わせて、備える再利用モードを選択することと、
前記選択された再利用モードのインジケーションを送信することと、
をさらに備える、請求項１に記載の方法。
【請求項３】
前記第１のしきい値と前記第２のしきい値とは同じである、請求項２に記載の方法。
【請求項４】
前記動的しきい値は、対象となる受信機の、および／または前記送信デバイスの送信パワーの関数である、請求項２に記載の方法。
【請求項５】
前記ワイヤレス媒体の再利用を許可するかどうかを決定することは、前記１つまたは複数の局のＢＳＳ間隔、および／または、アクセスポイントのＢＳＳ間隔に基づく、請求項１に記載の方法。
【請求項６】
前記基準は、
前記ＢＳＳにおけるすべての局が前記ワイヤレス媒体を再利用することを許可されること、または、
前記ＢＳＳにおける局のサブセットが前記ワイヤレス媒体を再利用することを許可されること、を規定し、
ここにおいて、局の前記サブセットは、前記１つまたは複数の局の各々の前記ＢＳＳ間隔に基づく、請求項５に記載の方法。
【請求項７】
前記アクセスポイントは、複数のＢＳＳ識別子を有し、前記方法は、
前記１つまたは複数の局が従うべき１つまたは複数のＢＳＳ識別子をシグナリングすること、または、
同じ色を共有するためにすべての前記ＢＳＳ識別子を選択すること、
をさらに備える、請求項１に記載の方法。
【請求項８】
ワイヤレス媒体の再利用を管理するように構成された装置であって、プロセッサを備え、前記プロセッサは、
基本サービスセット（ＢＳＳ）における１つまたは複数の局による前記ワイヤレス媒体の再利用を許可するかどうかを決定することと、
１つまたは複数の再利用パラメータを決定することと、
前記ワイヤレス媒体の再利用が基準を満たす局に対して許可されることのインジケーションを、再利用を許可することの決定時に、送信機を介して、送信することと、
前記１つまたは複数の再利用パラメータを、前記送信機を介して、送信することと、
ここにおいて、前記１つまたは複数の再利用パラメータは、送信パワー、エネルギー検出（ＥＤ）レベル、送信機受信信号強度インジケーション（ＲＳＳＩ）しきい値、対象となる受信機ＲＳＳＩしきい値、１つまたは複数のプリアンブルパラメータに基づく、およびノードにおいて耐えられる干渉の量のインジケーションに基づくＲＳＳＩしきい値関数、のうちの１つまたは複数を含み、
ここにおいて、前記１つまたは複数の再利用パラメータは、局によって異なる複数の再利用パラメータを備える、
を行うように構成される、装置。
【請求項９】
前記プロセッサは、
次のコンディション、
局が、第１のしきい値未満の受信信号強度インジケーション（ＲＳＳＩ）を有する送信デバイスから重複ＢＳＳ（ＯＢＳＳ）送信を検出する場合に、前記ワイヤレス媒体を再利用することを許可される；
局が、前記ＯＢＳＳ送信の宛先デバイスが第２のしきい値未満のＲＳＳＩを有する場合に、前記ワイヤレス媒体を再利用することを許可される；および
局が、前記送信デバイスおよび／または対象となる受信デバイスが１つまたは複数のプリアンブルパラメータの関数である動的しきい値未満のＲＳＳＩを有する場合に、前記ワイヤレス媒体を再利用することを許可される；
のうちの１つまたは複数を、単独でまたは組み合わせて、備える再利用モードを選択することと、
前記選択された再利用モードのインジケーションを、前記送信機を介して、送信することと、
を行うようにさらに構成される、請求項８に記載の装置。
【請求項１０】
前記第１のしきい値と前記第２のしきい値とは同じであり、前記動的しきい値は、対象となる受信機の、および／または前記送信デバイスの送信パワーの関数である、請求項９に記載の装置。
【請求項１１】
前記プロセッサは、前記１つまたは複数の局のＢＳＳ間隔、および／または、アクセスポイントのＢＳＳ間隔に基づいて前記ワイヤレス媒体の再利用を許可するかどうかを決定するように構成される、請求項８に記載の装置。
【請求項１２】
前記装置は、複数のＢＳＳ識別子を有するアクセスポイントを備え、前記プロセッサは、
前記１つまたは複数の局が従うべき１つまたは複数のＢＳＳ識別子をシグナリングすること、または、
同じ色を共有するためにすべての前記ＢＳＳ識別子を選択すること、
を行うようにさらに構成される、請求項１１に記載の装置。
【請求項１３】
ワイヤレス媒体を再利用することの方法であって、
重複基本サービスセット（ＯＢＳＳ）送信を、局において、検出することと、
前記ワイヤレス媒体を再利用するかどうかを決定することと、
１つまたは複数の再利用パラメータを決定することと、
前記１つまたは複数の再利用パラメータおよび前記ワイヤレス媒体を再利用するかどうかを前記決定することに基づいてメッセージを選択的に送信することと、
ここにおいて、前記再利用パラメータは、送信パワー、エネルギー検出（ＥＤ）レベル、送信機受信信号強度インジケーション（ＲＳＳＩ）しきい値、受信機ＲＳＳＩしきい値、１つまたは複数のプリアンブルパラメータに基づく、およびノードにおいて耐えられる干渉の量のインジケーションに基づくＲＳＳＩしきい値関数、のうちの１つまたは複数を含み、
ここにおいて、前記１つまたは複数の再利用パラメータは、局によって異なる複数の再利用パラメータを備える、
を備える、方法。
【請求項１４】
ワイヤレス媒体を再利用するように構成された装置であって、プロセッサを備え、前記プロセッサは、
重複基本サービスセット（ＯＢＳＳ）送信を検出することと、
前記ワイヤレス媒体を再利用するかどうかを決定することと、
１つまたは複数の再利用パラメータを決定することと、
前記１つまたは複数の再利用パラメータおよび前記ワイヤレス媒体を再利用するかどうかを前記決定することに基づいてメッセージを、送信機を介して、選択的に送信することと、
ここにおいて、前記再利用パラメータは、送信パワー、エネルギー検出（ＥＤ）レベル、送信機受信信号強度インジケーション（ＲＳＳＩ）しきい値、受信機ＲＳＳＩしきい値、１つまたは複数のプリアンブルパラメータに基づく、およびノードにおいて耐えられる干渉の量のインジケーションに基づくＲＳＳＩしきい値関数、のうちの１つまたは複数を含み、
ここにおいて、前記１つまたは複数の再利用パラメータは、局によって異なる複数の再利用パラメータを備える、
を行うように構成される、装置。
【請求項１５】
請求項１ないし７または１３のいずれかに記載の方法をインプリメントするための命令を備えるコンピュータプログラム。
【手続補正２】
【補正対象書類名】明細書
【補正対象項目名】０１５０
【補正方法】変更
【補正の内容】
【０１５０】
[00154]  前述の内容が本開示の態様を対象としている一方、本開示の他のおよびさらなる態様は、その基本的な範囲から逸脱することなしに考案されることができ、その範囲は、次の特許請求の範囲によって決定される。
以下に本願の出願当初の特許請求の範囲に記載された発明を付記する。
［Ｃ１］  ワイヤレス媒体の再利用を管理する方法であって、
基本サービスセット（ＢＳＳ）における１つまたは複数の局による前記ワイヤレス媒体の再利用を許可するかどうかを、アクセスポイントにおいて、決定することと、
前記ワイヤレス媒体の再利用が基準を満たす局に対して許可されることのインジケーションを、再利用を許可することの決定時に、送信することと、
１つまたは複数の再利用パラメータを決定することと、
前記１つまたは複数の再利用パラメータを送信することと、を備える、方法。
［Ｃ２］  前記１つまたは複数の再利用パラメータは、局によって異なる複数の再利用パラメータを備える、Ｃ１に記載の方法。
［Ｃ３］  次のコンディション、
局が、第１のしきい値未満の受信信号強度インジケーション（ＲＳＳＩ）を有する送信デバイスから重複ＢＳＳ（ＯＢＳＳ）送信を検出する場合に、前記ワイヤレス媒体を再利用することを許可される；
局が、前記ＯＢＳＳ送信の宛先デバイスが第２のしきい値未満のＲＳＳＩを有する場合に、前記ワイヤレス媒体を再利用することを許可される；
局が、前記送信デバイスおよび／または対象となる受信デバイスが１つまたは複数のプリアンブルパラメータの関数である動的しきい値未満のＲＳＳＩを有する場合に、前記ワイヤレス媒体を再利用することを許可される；のうちの１つまたは複数を、単独でまたは組み合わせて、備える再利用モードを選択することと、
前記選択された再利用モードのインジケーションを送信することと、をさらに備える、Ｃ１に記載の方法。
［Ｃ４］  前記第１のしきい値と前記第２のしきい値とは同じである、Ｃ３に記載の方法。
［Ｃ５］  前記動的しきい値は、対象となる受信機の、および／または前記送信デバイスの送信パワーの関数である、Ｃ３に記載の方法。
［Ｃ６］  前記１つまたは複数の再利用パラメータは、送信パワー、エネルギー検出（ＥＤ）レベル、送信機受信信号強度インジケーション（ＲＳＳＩ）しきい値、対象となる受信機ＲＳＳＩしきい値、１つまたは複数のパラメータに基づくＲＳＳＩしきい値関数、のうちの１つまたは複数を備える、前記１つまたは複数のパラメータは、
受信されたパケットのプリアンブルに含まれる他のパラメータまたは送信パワーと、
１つまたは複数のパラメータの関数としてノードにおいて耐えられる干渉の量のインジケーションと、を含む、Ｃ１に記載の方法。
［Ｃ７］  前記ワイヤレス媒体の再利用を許可するかどうかを決定することは、前記１つまたは複数の局のＢＳＳ間隔、および／または、アクセスポイントのＢＳＳ間隔に基づく、Ｃ１に記載の方法。
［Ｃ８］  前記ワイヤレス媒体の再利用を許可することを決定することと、エンハンスド送信要求送信、および／または、エンハンスド送信可送信を使用することと、をさらに備える、Ｃ１に記載の方法。
［Ｃ９］  前記基準は、
前記ＢＳＳにおけるすべての局が前記ワイヤレス媒体を再利用することを許可されること、または、
前記ＢＳＳにおける局のサブセットが前記ワイヤレス媒体を再利用することを許可されること、を規定し、ここにおいて局の前記サブセットは、前記１つまたは複数の局の各々の前記ＢＳＳ間隔に基づく、Ｃ７に記載の方法。
［Ｃ１０］  前記アクセスポイントは、複数のＢＳＳ識別子を有し、前記方法は、
前記１つまたは複数の局が従うべき１つまたは複数のＢＳＳ識別子をシグナリングすること、または、
同じ色を共有するためにすべての前記ＢＳＳ識別子を選択すること、をさらに備える、Ｃ１に記載の方法。
［Ｃ１１］  ワイヤレス媒体の再利用を管理するように構成された装置であって、プロセッサを備え、前記プロセッサは、
基本サービスセット（ＢＳＳ）における１つまたは複数の局による前記ワイヤレス媒体の再利用を許可するかどうかを決定することと、
１つまたは複数の再利用パラメータを決定することと、
前記ワイヤレス媒体の再利用が基準を満たす局に対して許可されることのインジケーションを、再利用を許可することの決定時に、送信機を介して、送信することと、
前記１つまたは複数の再利用パラメータを、前記送信機を介して、送信することと、を行うように構成される、装置。
［Ｃ１２］  前記プロセッサは、
次のコンディション、
局が、第１のしきい値未満の受信信号強度インジケーション（ＲＳＳＩ）を有する送信デバイスから重複ＢＳＳ（ＯＢＳＳ）送信を検出する場合に、前記ワイヤレス媒体を再利用することを許可される；
局が、前記ＯＢＳＳ送信の宛先デバイスが第２のしきい値未満のＲＳＳＩを有する場合に、前記ワイヤレス媒体を再利用することを許可される；
局が、前記送信デバイスおよび／または対象となる受信デバイスが１つまたは複数のプリアンブルパラメータの関数である動的しきい値未満のＲＳＳＩを有する場合に、前記ワイヤレス媒体を再利用することを許可される；のうちの１つまたは複数を、単独でまたは組み合わせて、備える再利用モードを選択することと、
前記選択された再利用モードのインジケーションを、前記送信機を介して、送信することと、を行うようにさらに構成される、Ｃ１１に記載の装置。
［Ｃ１３］  前記第１のしきい値と前記第２のしきい値とは同じであり、前記動的しきい値は、対象となる受信機の、および／または前記送信デバイスの送信パワーの関数である、Ｃ１２に記載の装置。
［Ｃ１４］  前記１つまたは複数の再利用パラメータは、送信パワー、エネルギー検出（ＥＤ）レベル、送信機受信信号強度インジケーション（ＲＳＳＩ）しきい値、対象となる受信機ＲＳＳＩしきい値、１つまたは複数のパラメータに基づくＲＳＳＩしきい値関数、のうちの１つまたは複数を備える、前記１つまたは複数のパラメータは、
受信されたパケットのプリアンブルに含まれる他のパラメータまたは送信パワーと、
１つまたは複数のパラメータの関数としてノードにおいて耐えられる干渉の量のインジケーションと、を含む、Ｃ１１に記載の装置。
［Ｃ１５］  前記プロセッサは、前記１つまたは複数の局のＢＳＳ間隔、および／または、アクセスポイントのＢＳＳ間隔に基づいて前記ワイヤレス媒体の再利用を許可するかどうかを決定するように構成される、Ｃ１１に記載の装置。
［Ｃ１６］  前記プロセッサは、前記ワイヤレス媒体の再利用を許可することを決定することと、エンハンスド送信要求送信、および／または、エンハンスド送信可送信を使用することと、を行うようにさらに構成される、Ｃ１１に記載の装置。
［Ｃ１７］  前記基準は、
前記ＢＳＳにおけるすべての局が前記ワイヤレス媒体を再利用することを許可されること、または、
前記ＢＳＳにおける局のサブセットが前記ワイヤレス媒体を再利用することを許可されること、を規定し、ここにおいて局の前記サブセットは、前記１つまたは複数の局の各局の前記ＢＳＳ間隔に基づく、Ｃ１５に記載の装置。
［Ｃ１８］  前記装置は、複数のＢＳＳ識別子を有するアクセスポイントを備え、前記プロセッサは、
前記１つまたは複数の局が従うべき１つまたは複数のＢＳＳ識別子をシグナリングすること、または、
同じ色を共有するためにすべての前記ＢＳＳ識別子を選択すること、を行うようにさらに構成される、Ｃ１１に記載の装置。
［Ｃ１９］  ワイヤレス媒体を再利用することの方法であって、
重複基本サービスセット（ＯＢＳＳ）送信を、局において、検出することと、
前記ワイヤレス媒体を再利用するかどうかを決定することと、
１つまたは複数の再利用パラメータを決定することと、
前記１つまたは複数の再利用パラメータおよび前記ワイヤレス媒体を再利用するかどうかを前記決定することに基づいてメッセージを選択的に送信することと、を備える、方法。
［Ｃ２０］  次のコンディション、
局が、第１のしきい値未満の受信信号強度インジケーション（ＲＳＳＩ）を有する送信デバイスから前記ＯＢＳＳ送信を検出する場合に、前記ワイヤレス媒体を再利用することを許可される；
局が、前記ＯＢＳＳ送信の宛先デバイスが第２のしきい値未満のＲＳＳＩを有する場合に、前記ワイヤレス媒体を再利用することを許可される；
局が、前記送信デバイスが１つまたは複数のプリアンブルパラメータの関数である動的しきい値未満のＲＳＳＩを有する場合に、前記ワイヤレス媒体を再利用することを許可される；のうちの１つまたは複数を、単独でまたは組み合わせて、備える再利用モードを選択することと、
前記選択された再利用モードを適用することと、をさらに備える、Ｃ１９に記載の方法。
［Ｃ２１］  前記１つまたは複数の再利用パラメータは、送信パワー、エネルギー検出（ＥＤ）レベル、送信機受信信号強度インジケーション（ＲＳＳＩ）しきい値、受信機ＲＳＳＩしきい値、１つまたは複数のパラメータに基づくＲＳＳＩしきい値関数、のうちの１つまたは複数を備える、前記１つまたは複数のパラメータは、
受信されたパケットのプリアンブルに含まれる他のパラメータまたは送信パワー、および、
１つまたは複数のパラメータの関数としてノードにおいて耐えられる干渉の量のインジケーション、を含む、Ｃ１９に記載の方法。
［Ｃ２２］  前記ワイヤレス媒体を再利用するかどうかを決定することは、
前記局のＢＳＳ間隔および／またはアクセスポイントのＢＳＳ間隔に基づく、Ｃ１９に記載の方法。
［Ｃ２３］  前記ワイヤレス媒体を再利用することを決定することと、エンハンスド送信要求送信、および／または、エンハンスド送信可送信を使用することと、をさらに備える、Ｃ１９に記載の方法。
［Ｃ２４］  前記ワイヤレス媒体の再利用が基準を満たす局に対して許可されることのインジケーションを受信することをさらに備え、ここにおいて、
前記基準は、基本サービスセット（ＢＳＳ）におけるすべての局が前記ワイヤレス媒体を再利用することを許可されることを規定する、
局のサブセットは、各局のＢＳＳ間隔および／またはアクセスポイントのＢＳＳ間隔に基づく、および、
前記１つまたは複数のパラメータは、前記ＯＢＳＳ送信において規定される、Ｃ１９に記載の方法。
［Ｃ２５］  ワイヤレス媒体を再利用するように構成された装置であって、プロセッサを備え、前記プロセッサは、
重複基本サービスセット（ＯＢＳＳ）送信を検出することと、
前記ワイヤレス媒体を再利用するかどうかを決定することと、
１つまたは複数の再利用パラメータを決定することと、
前記１つまたは複数の再利用パラメータおよび前記ワイヤレス媒体を再利用するかどうかを前記決定することに基づいてメッセージを、送信機を介して、選択的に送信することと、を行うように構成される、装置。
［Ｃ２６］  前記プロセッサは、
次のコンディション、
局が、第１のしきい値未満の受信信号強度インジケーション（ＲＳＳＩ）を有する送信デバイスから前記ＯＢＳＳ送信を検出する場合に、前記ワイヤレス媒体を再利用することを許可される；
局が、前記ＯＢＳＳ送信の宛先デバイスが第２のしきい値未満のＲＳＳＩを有する場合に、前記ワイヤレス媒体を再利用することを許可される；
局が、前記送信デバイスが１つまたは複数のプリアンブルパラメータの関数である動的しきい値未満のＲＳＳＩを有する場合に、前記ワイヤレス媒体を再利用することを許可される；のうちの１つまたは複数を、単独でまたは組み合わせて、備える再利用モードを選択することと、
前記選択された再利用モードを適用することと、を行うようにさらに構成される、Ｃ２５に記載の装置。
［Ｃ２７］  前記１つまたは複数の再利用パラメータは、送信パワー、エネルギー検出（ＥＤ）レベル、送信機受信信号強度インジケーション（ＲＳＳＩ）しきい値、受信機ＲＳＳＩしきい値、１つまたは複数のパラメータに基づくＲＳＳＩしきい値関数、のうちの１つまたは複数を備える、前記１つまたは複数のパラメータは、
受信されたパケットのプリアンブルに含まれる他のパラメータまたは送信パワー、および、
１つまたは複数のパラメータの関数としてノードにおいて耐えられる干渉の量のインジケーション、を含む、Ｃ２５に記載の装置。
［Ｃ２８］  前記プロセッサは、各局のＢＳＳ間隔、および／または、アクセスポイントのＢＳＳ間隔に基づいて前記ワイヤレス媒体を再利用するかどうかを決定するように構成される、Ｃ２５に記載の装置。
［Ｃ２９］  前記プロセッサは、前記ワイヤレス媒体を再利用することを決定することと、エンハンスド送信要求送信、および／または、エンハンスド送信可送信を使用することと、を行うようにさらに構成される、Ｃ２５に記載の装置。
［Ｃ３０］  前記プロセッサは、前記ワイヤレス媒体の再利用が基準を満たす局に対して許可されることのインジケーションを、受信機を介して、受信するようにさらに構成され、ここにおいて、
前記基準は、基本サービスセット（ＢＳＳ）におけるすべての局が前記ワイヤレス媒体を再利用することを許可されることを規定する、
局のサブセットは、各局のＢＳＳ間隔および／またはアクセスポイントのＢＳＳ間隔に基づく、
前記１つまたは複数のパラメータは、前記ＯＢＳＳ送信において規定される、Ｃ２５に記載の装置。